(57)【要約】【課題】設定されたテンポと略等しいテンポを有する音楽コンテンツを選曲して再生する。【解決手段】再生装置１の操作ダイヤル８が回転されることでテンポの設定が行われる。制御部３はＨＤＤ４または通信部５を介して、設定されたテンポとほぼ等しいテンポを有する音楽コンテンツを取得する。そして、制御部３は、取得した音楽コンテンツをデコーダおよびアンプ部７に供給し、再生中の音楽コンテンツと切り換えて再生する。再生中の音楽コンテンツを設定された音楽コンテンツのテンポに近づけてから音楽コンテンツを切り換えたり、再生中の音楽コンテンツの小節の区切りで音楽コンテンツを切り換えることで、音楽コンテンツの切り換わりによりユーザが感じる違和感を低減できる。【選択図】図１
2007164932.tif 000002
【特許請求の範囲】
【請求項１】
少なくともテンポの設定が可能とされる操作部と、
コンテンツを取得するコンテンツ取得部と、
上記設定されたテンポと略等しいテンポを有するコンテンツを上記コンテンツ取得部を介して取得して再生する制御部と
を備える再生装置。
【請求項２】
少なくともテンポの設定が可能とされる操作部と、
コンテンツを取得するコンテンツ取得部と、
上記設定されたテンポと略等しいテンポを有するコンテンツを上記コンテンツ取得部を介して取得し、再生中のコンテンツから上記取得したコンテンツへと所定のタイミングにおいて切り換えて再生する制御部と
を備える再生装置。
【請求項３】
請求項２に記載の再生装置において、
上記制御部は、上記再生中のコンテンツから上記取得したコンテンツへと切り換える場合に、上記再生中のコンテンツのテンポを上記設定されたテンポに近づくように変更してから切り換える再生装置。
【請求項４】
請求項３に記載の再生装置において、
上記制御部は、さらに、上記再生中のコンテンツの音量を変化させて再生する再生装置。
【請求項５】
請求項１ないし請求項４に記載の再生装置において、
上記制御部は、上記設定されたテンポと上記取得したコンテンツのテンポとが等しいときは上記取得したコンテンツのテンポを変更せずに再生し、上記設定されたテンポと上記取得したコンテンツのテンポとが異なる場合は、上記取得したコンテンツのテンポを上記設定されたテンポと等しくなるように変更して再生する再生装置。
【請求項６】
請求項１ないし請求項４に記載の再生装置において、
上記コンテンツ取得部は、コンテンツを蓄積する蓄積部である再生装置。
【請求項７】
請求項１ないし請求項４に記載の再生装置において、
上記コンテンツ取得部は、ネットワークを介して通信を行うことでコンテンツを取得する再生装置。
【請求項８】
請求項２ないし請求項４に記載の再生装置において、
上記所定のタイミングは、上記再生中のコンテンツの小節の区切りとされる再生装置。
【請求項９】
請求項２ないし請求項４に記載の再生装置において、
上記制御部は、上記再生中のコンテンツのレベルを徐々に小とし、上記取得されたコンテンツのレベルを徐々に大とするように切り換えて再生する再生装置。
【請求項１０】
請求項２ないし請求項４に記載の再生装置において、
上記制御部は、上記取得したコンテンツを、先頭部分、小節の区切りおよびサビの部分のいずれかから再生する再生装置。
【請求項１１】
少なくともテンポを設定する設定ステップと、
上記設定されたテンポと略等しいテンポを有するコンテンツを取得する取得ステップと、
上記取得したコンテンツを再生する制御ステップと
からなる再生方法。
【請求項１２】
少なくともテンポを設定する設定ステップと、
上記設定されたテンポと略等しいテンポを有するコンテンツを取得する取得ステップと、
再生中のコンテンツから上記取得されたコンテンツへと所定のタイミングにおいて切り換えて再生する制御ステップと
からなる再生方法。
【請求項１３】
請求項１２に記載の再生方法において、
上記制御ステップは、上記再生中のコンテンツから上記取得したコンテンツへと切り換える場合に、上記再生中のコンテンツのテンポを上記設定されたテンポに近づくように変更してから切り換える再生方法。
【請求項１４】
コンピュータに、
設定されたテンポ情報を受け付けるステップと、
上記テンポ情報のテンポと略等しいテンポを有するコンテンツを取得する取得ステップと、
上記コンテンツ取得ステップにおいて取得したコンテンツを再生する制御ステップと
を実行させるプログラム。
【請求項１５】
コンピュータに、
設定されたテンポ情報を受け付けるステップと、
上記テンポ情報のテンポと略等しいテンポを有するコンテンツを取得する取得ステップと、
再生中のコンテンツから上記コンテンツ取得ステップにおいて取得したコンテンツへと所定のタイミングにおいて切り換えて再生する制御ステップと
を実行させるプログラム。
【請求項１６】
請求項１５に記載のプログラムにおいて、
上記制御ステップは、上記再生中のコンテンツから上記取得したコンテンツへと切り換える場合に、上記再生中のコンテンツのテンポを上記設定されたテンポに近づくように変更してから切り換えるプログラム。
【発明の詳細な説明】
【技術分野】
【０００１】
この発明は、再生装置および再生方法並びにプログラムに関し、例えばユーザによって設定されたテンポと略等しいテンポを有するコンテンツを取得して再生する再生装置および再生方法並びにプログラムに関する。
【背景技術】
【０００２】
近年、ＤＴＭ(Desk Top Music)などと称されるようにパーソナルコンピュータを使用したソフトウェア的な処理によって音楽コンテンツの再生態様を変化させることが行われている。このような処理は、パーソナルコンピュータを使用した音楽コンテンツの編集に関する知識を必要とするため、より簡易な操作やユーザが行う無意識な体の動きによって音楽コンテンツの再生態様を変化させる技術が提案されている。
【０００３】
例えば、下記特許文献１には、携帯電話に磁気センサが備えられ、使用者が携帯電話を振ることによって発生する振動に応じて音楽コンテンツのテンポやボリュームを変化させる携帯電話装置が記載されている。
【０００４】
【特許文献１】特開２００３−１０８１３０号公報
【０００５】
また、下記特許文献２には、例えばユーザの歩行テンポが検出され、検出された歩行テンポに応じて再生中の音楽コンテンツの再生速度等を変化させる再生態様制御装置等が記載されている。
【０００６】
【特許文献２】特開２００５−１５６６４１号公報
【発明の開示】
【発明が解決しようとする課題】
【０００７】
上述した特許文献１や特許文献２に記載の装置は、ユーザの動作に応じて音楽コンテンツの再生態様を変化させるものであって、必ずしもユーザが所望するテンポの音楽コンテンツが再生されるとは限らなかった。
【０００８】
ユーザが所望するテンポの音楽コンテンツを再生するには、テンポの異なる音楽コンテンツが記録された記録媒体を交換したり、手動で再生ピッチを変化させて対応していた。しかしながら、記録媒体を交換して再生する方法では、交換時の操作によって一時的な無音期間が発生するため、テンポが異なる音楽コンテンツを連続的に再生することが困難であった。
【０００９】
したがって、この発明の目的は、容易に且つユーザに対して違和感を与えることなく、テンポが異なる音楽コンテンツを連続的に再生できる再生装置および再生方法並びにプログラムを提供することである。
【課題を解決するための手段】
【００１０】
上述した課題を解決するために、この発明は、少なくともテンポの設定が可能とされる操作部と、
コンテンツを取得するコンテンツ取得部と、
設定されたテンポと略等しいテンポを有するコンテンツをコンテンツ取得部を介して取得して再生する制御部と
を備える再生装置である。
【００１１】
また、この発明は、少なくともテンポの設定が可能とされる操作部と、
コンテンツを取得するコンテンツ取得部と、
設定されたテンポと略等しいテンポを有するコンテンツをコンテンツ取得部を介して取得し、再生中のコンテンツから取得したコンテンツへと所定のタイミングにおいて切り換えて再生する制御部と
を備える再生装置である。
【００１２】
また、この発明は、少なくともテンポを設定する設定ステップと、
設定されたテンポと略等しいテンポを有するコンテンツを取得する取得ステップと、
取得したコンテンツを再生する制御ステップと
からなる再生方法である。
【００１３】
また、この発明は、少なくともテンポを設定する設定ステップと、
設定されたテンポと略等しいテンポを有するコンテンツを取得する取得ステップと、
再生中のコンテンツから取得されたコンテンツへと所定のタイミングにおいて切り換えて再生する制御ステップと
からなる再生方法である。
【００１４】
また、この発明は、コンピュータに、
設定されたテンポ情報を受け付けるステップと、
テンポ情報のテンポと略等しいテンポを有するコンテンツを取得する取得ステップと、
コンテンツ取得ステップにおいて取得したコンテンツを再生する制御ステップと
を実行させるプログラムである。
【００１５】
また、この発明は、コンピュータに、
設定されたテンポ情報を受け付けるステップと、
テンポ情報のテンポと略等しいテンポを有するコンテンツを取得する取得ステップと、
再生中のコンテンツからコンテンツ取得ステップにおいて取得したコンテンツへと所定のタイミングにおいて切り換えて再生する制御ステップと
を実行させるプログラムである。
【発明の効果】
【００１６】
この発明によれば、簡易な操作によって、テンポが異なる音楽コンテンツを連続的に再生することができる。
【発明を実施するための最良の形態】
【００１７】
以下、図面を参照しながらこの発明の一実施の形態について説明する。図１は、この発明の一実施の形態における再生装置１の主要な構成を示す。再生装置１のバス２に対しては、ＣＰＵ(Central Processing Unit)３ａ、ＲＯＭ(Read Only Memory)３ｂおよびＲＡＭ(Random Access Memory)３ｃからなる制御部３、ＨＤＤ(Hard Disk Drive)４、通信部５、ダイヤル検出部６、デコーダおよびアンプ部７が接続され、相互に音楽データ、制御データのやり取りが可能とされている。また、ダイヤル検出部６は操作ダイヤル８と接続され、デコーダおよびアンプ部７はスピーカ９と接続されている。
【００１８】
制御部３のＣＰＵ３ａは、ＲＯＭ３ｂに格納されているプログラムを実行して再生装置１の各部を制御する。また、制御部３は後述するように再生中の音楽コンテンツのテンポを変更する処理や、設定されたテンポの音楽コンテンツを取得してデコーダおよびアンプ部７に供給して再生する等の処理を行う。ＲＡＭ３ｃは、ＣＰＵ３ａが実行する処理のためのワーク用エリアとして使用され、また、各種データを一時的に保存するためのメモリとしても使用される。
【００１９】
ＨＤＤ４は、コンテンツ取得部の一例であり、複数の音楽コンテンツがＨＤＤ４に蓄積されている。ＨＤＤ４は他の不揮発性メモリであっても良く、また半導体メモリや光ディスクなどの再生装置１と着脱自在とされるリムーバブルな記録媒体でも構わない。ＨＤＤ４には、例えばＭＰ３（ＭＰＥＧ（Moving Picture Coding Experts Group）−１オーディオレイヤIII）方式やＡＴＲＡＣ(Adaptive Transform Acoustic Coding)方式によって圧縮符号化された音楽コンテンツのデータが、それぞれの音楽コンテンツの属性情報を示すメタデータと関連付けられて記憶されている。メタデータは、音楽コンテンツのデータの属性等を記述したデータのことである。
【００２０】
通信部５は、コンテンツ取得部の他の例である。例えば、通信部５は、インターネットを介して複数の音楽コンテンツを蓄積するコンテンツ蓄積サーバにアクセスし、設定されたテンポとほぼ等しいテンポを有する音楽コンテンツの有無を問い合わせ、音楽コンテンツが存在する場合はその配信を受けることができる。コンテンツ蓄積サーバには、例えばＭＰ３方式によって圧縮符号化された音楽コンテンツのデータがメタデータと関連付けられて蓄積されている。なお、この一実施の形態では、再生装置１がコンテンツ取得部の例としてＨＤＤ４および通信部５を備える構成としたが、いずれか一方を備える構成としても良い。
【００２１】
ダイヤル検出部６は、操作部の一例である操作ダイヤル８と接続され、操作ダイヤル８が回転されることで発生する回転量に応じた信号を生成する。生成された信号が制御部３に対して送出される。制御部３は、ダイヤル検出部６から送出される信号によって、操作ダイヤル８が回転されることで設定された情報を判別できる。
【００２２】
デコーダおよびアンプ部７は、制御部３の制御によって供給される圧縮符号化された音楽コンテンツのデータを復号し、復号されたデータをＤ／Ａ(Digital to Analog)変換し、さらにＤ／Ａ変換されたデータを増幅する。増幅されたデータがスピーカ９に対して供給され、スピーカ９からは所定の音楽コンテンツが再生される。
【００２３】
図２は、この一実施の形態における操作ダイヤル８の一例を示す。操作ダイヤル８は、回転自在とされ、操作ダイヤル８を右方向若しくは左方向に回転することで、テンポを設定することができる。後述するように、操作ダイヤル８を回転するだけでテンポの設定が可能とされ、さらに設定されたテンポとほぼ等しいテンポの音楽コンテンツが選曲されて再生される。
【００２４】
図３は、再生装置１に取り付けられた操作ダイヤル８を示す。操作ダイヤル８は、例えば再生装置１の筐体１２の端部付近に、他のストップ／イジェクトボタン１３、ポーズボタン１４、プレイボタン１５などと近接して設けられる。勿論、図３に示す操作ダイヤル８が取り付けられる位置は一例であり、他の位置でも良い。
【００２５】
次に、この一実施の形態における再生装置１の動作を説明する。最初に、いずれの音楽コンテンツも再生されていない停止状態において操作ダイヤル８が回転されたときの動作の一例について説明する。
【００２６】
操作ダイヤル８が回転され、再生される音楽コンテンツのテンポが設定される。テンポとは、音楽コンテンツにおいて、拍の長さすなわち拍節の速さである。ここで、拍節とは、音楽コンテンツにおいて等しい間隔で打たれる基本的なリズムをいい、拍はその一つ一つの時間単位をいう。拍節の長さは音楽コンテンツによって異なり、また同じ音楽コンテンツの中でも変化することがある。この明細書ではテンポの単位として、平均的に１分間にいくつの４分音符が入るかを示すＢＰＭ(Beat per Minute)を使用する。
【００２７】
操作ダイヤル８を右方向に回転するとテンポが速くなり、反対に左方向に回転するとテンポが遅くなる。操作ダイヤル８の回転を停止すると、その位置に応じてテンポが設定される。このとき、テンポが再生装置１に設けられるＬＣＤ（Liquid Crystal Display）等の表示画面に表示されても良い。
【００２８】
操作ダイヤル８が回転されテンポの設定が終了すると、操作ダイヤル８の回転量がダイヤル検出部６に対して供給される。ダイヤル検出部６は、回転量に応じて電気的な信号を生成し、生成した信号を制御部３に対して送出する。なお、以下の説明では一例として設定されたテンポが１１０ＢＰＭとして説明する。
【００２９】
制御部３は、ダイヤル検出部６から送出される信号に基づいて操作ダイヤル８によって設定されたテンポが１１０ＢＰＭであると判別する。そして制御部３が判別したテンポ（１１０ＢＰＭ）をＲＡＭ３ｃに一時的に保持し、ＨＤＤ４に蓄積された音楽コンテンツの中からテンポが１１０ＢＰＭである音楽コンテンツを取得する。ここで、ＨＤＤ４には複数の音楽コンテンツがテンポの情報を含むメタデータと関連付けられて記憶されていることから、制御部３はメタデータを参照することで、テンポが１１０ＢＰＭである音楽コンテンツを容易に取得できる。
【００３０】
制御部３は、ＨＤＤ４から取得した１１０ＢＰＭのテンポを有する音楽コンテンツをＲＡＭ３ｃに一時的に記憶する。そして、制御部３がＲＡＭ３ｃに記憶した音楽コンテンツをデコーダおよびアンプ部７に供給し、供給した音楽コンテンツを再生するように制御部３がデコーダおよびアンプ部７を制御する。デコーダおよびアンプ部７においてデコード処理等がなされた音楽コンテンツがスピーカ９に供給されて再生される。
【００３１】
以上、説明した動作の一例は以下のように変形することができる。制御部３は、設定されたテンポ（１１０ＢＰＭ）を判別した後に、ＨＤＤ４からではなく通信部５を介してコンテンツ蓄積サーバ等からテンポが１１０ＢＰＭである音楽コンテンツを取得するようにしても良い。また、制御部３がＨＤＤ４または通信部５を介して取得した音楽コンテンツは、一旦ＲＡＭ３ｃに記録せずに、デコーダおよびアンプ部７に直接供給するように制御しても良い。
【００３２】
また、制御部３がＨＤＤ４や通信部５を介して取得する音楽コンテンツの中に、テンポが１１０ＢＰＭである音楽コンテンツが存在しない場合は、設定されたテンポとほぼ等しいテンポを有する音楽コンテンツを取得するようにしても良い。設定されたテンポとほぼ等しいテンポを有する音楽コンテンツは、例えば、設定されたテンポに対して±５ＢＰＭの範囲のテンポを有する音楽コンテンツとされる。
【００３３】
テンポが１１０ＢＰＭである音楽コンテンツが複数存在する場合は、ジャンルや記録日時や再生履歴などの他の属性を参照して優先順位を付加し、優先順位の高い順位に制御部３が音楽コンテンツを取得するようにしても良い。
【００３４】
次に、ある音楽コンテンツが再生されている再生状態において、操作ダイヤル８が回転されたときの再生装置１の動作の一例を説明する。
【００３５】
最初に操作ダイヤル８が回転されてテンポが設定される。なお、以下の説明では設定されたテンポが１１０ＢＰＭとする。テンポが設定されると、制御部３がＨＤＤ４または通信部５を介してテンポが１１０ＢＰＭである音楽コンテンツを取得する。ここで、テンポが１１０ＢＰＭである音楽コンテンツが存在しない場合は、例えば設定されたテンポに対して±５ＢＰＭの範囲のテンポを有する音楽コンテンツが取得される。
【００３６】
制御部３は、再生中の音楽コンテンツから取得した音楽コンテンツへと、所定のタイミングにおいて切り換えて再生するようにデコーダおよびアンプ部７を制御する。ここで、所定のタイミングとは、例えば再生中の音楽コンテンツの小節の区切りとされる。すなわち、制御部３は、事前に再生中の音楽コンテンツの小節の区切りが含まれる楽曲の構造情報を保持しておき、例えばテンポが設定されたときの小節の次の小節との区切りで音楽コンテンツを切り換える。小節の区切りにおいて音楽コンテンツを切り換えることで拍子が不連続にならず、音楽コンテンツの切り換わりによってユーザが感じる違和感を低減できる。
【００３７】
また、再生中の音楽コンテンツと、テンポが１１０ＢＰＭである音楽コンテンツとをクロスフェードによって切り換えても良い。すなわち、テンポが設定されたときから次の半小節の区切りまでは再生中の音楽コンテンツの再生を継続し、半小節の区切りから次の一小節の区切りまでの区間を再生中の音楽コンテンツの音量（レベル）を徐々に小さくし、テンポが１１０ＢＰＭである音楽コンテンツの音量を徐々に大きくしていく。そして、小節の区切りにおいてテンポが１１０ＢＰＭである音楽コンテンツのみを再生するようにしても良い。
【００３８】
また、制御部３がＨＤＤ４または通信部５から取得した音楽コンテンツの再生位置を変更できるようにしても良い。例えば、取得した音楽コンテンツを先頭から再生しても良いし、小節の区切りやサビの部分から再生しても良い。
【００３９】
次に、ある音楽コンテンツが再生されている再生状態において操作ダイヤル８が回転されてテンポが設定されたときの再生装置１の動作例であって、再生中の音楽コンテンツのテンポを、設定されたテンポに近づけるように変更して一定時間再生し、制御部３が取得した音楽コンテンツを所定のタイミングにおいて切り換えて再生する例を説明する。
【００４０】
例えばＨＤＤ４や通信部５を介して取得された音楽コンテンツがスピーカ９から再生されている。このような再生状態において操作ダイヤル８が回転され、例えばテンポが１１０ＢＰＭに設定されたとする。テンポが設定されると、再生中の音楽コンテンツのテンポを設定されたテンポ（１１０ＢＰＭ）に近づけるように変更する処理を制御部３が実行する。
【００４１】
例えば、再生中の音楽コンテンツテンポを強制的に１１０ＢＰＭとする。また、ユーザが感じる違和感を低減するために、再生中の音楽コンテンツのテンポの平均値が１１０ＢＰＭとなるように変更しても良い。また、ユーザが音楽コンテンツを聴取することで感じる心地良さを得るため、１１０ＢＰＭに変更した再生中の音楽コンテンツのテンポに対してゆらぎとして±５ＢＰＭ程度の変動を付加しても良い。
【００４２】
上述したようにしてテンポが変更された音楽コンテンツを制御部３がデコーダおよびアンプ部７に供給して再生するように制御する。そしてスピーカ９からは再生中の音楽コンテンツと同じ音楽コンテンツであってテンポが変更された音楽コンテンツが再生される。
【００４３】
制御部３は、再生中の音楽コンテンツのテンポを変更して再生するのと並行して、設定されたテンポとほぼ等しいテンポを有する音楽コンテンツをＨＤＤ４または通信部５を介して取得する。制御部３は、ＨＤＤ４や、通信部５を介してアクセス可能なコンテンツ蓄積サーバに蓄積されているそれぞれの音楽コンテンツのメタデータを参照し、メタデータに記述されているテンポが１１０ＢＰＭである音楽コンテンツを取得する。若しテンポが１１０ＢＰＭである音楽コンテンツが存在しない場合は、例えば設定されたテンポに対して±５ＢＰＭの範囲のテンポを有する音楽コンテンツを取得するようにしても良い。そして、制御部３が取得した音楽コンテンツを制御部３による制御によってデコーダおよびアンプ部７へと供給し、所定のタイミングにおいて再生中の音楽コンテンツと切り換えて再生する。
【００４４】
なお、設定されたテンポに応じて、ＨＤＤ４または通信部５から取得した音楽コンテンツの音量を制御部３が変化させて再生しても良い。例えば、再生中のアップテンポな音楽コンテンツからスローテンポな音楽コンテンツへと切り換わる場合に、再生中の音楽コンテンツのテンポを遅くすると共に音量を徐々に小さくするようにしても良い。また反対に、再生中のスローテンポな音楽コンテンツからアップテンポな音楽コンテンツへと切り換わる場合には、再生中の音楽コンテンツのテンポを速くすると共に、徐々に音量を大きくするようにしても良い。
【００４５】
制御部３が再生される音楽コンテンツを切り換える所定のタイミングは、例えばテンポが変更された再生中の音楽コンテンツの小節の区切りとされる。これにより音楽コンテンツが切り換わることによりユーザが感じる違和感を低減できる。
【００４６】
また、テンポが変更された再生中の音楽コンテンツと制御部３が取得した音楽コンテンツとがクロスフェードによって切り換わり再生されても良い。
【００４７】
また、制御部３は、ＨＤＤ４または通信部５を介して取得した音楽コンテンツを先頭部分、小節の区切りの部分およびサビの部分のいずれかから再生するように制御できる。
【００４８】
図４は、制御部３によって制御される再生装置１の処理の流れの一例を示すフローチャートである。ステップＳ１では、操作ダイヤル８によって設定されたテンポが検出され、検出されたテンポが制御部３のＲＡＭ３ｃに記憶される。このＲＡＭ３ｃに記憶されるテンポを（Ａ）とする。続いて、処理がステップＳ２に進む。
【００４９】
ステップＳ２においては、設定されたテンポとほぼ等しいテンポを有する音楽コンテンツ（候補曲）をＨＤＤ４または通信部５を介して制御部３が取得し、取得した音楽コンテンツをＲＡＭ３ｃに記憶する。ここで、制御部３が取得した音楽コンテンツのテンポを（Ｂ）する。このテンポ（Ｂ）が音楽コンテンツと関連付けられてＲＡＭ３ｃに記憶される。続いて、処理がステップＳ３に進む。
【００５０】
ステップＳ３においては、テンポの調整が判断される。すなわち、ステップＳ３においては、制御部３が（Ａ）と（Ｂ）の差分値（Ｃ）を算出し（Ｃ）の値をＲＡＭ３ｃに記憶する。続いて、処理がステップＳ４に進む。
【００５１】
ステップＳ４においては、変化量を判断する処理が行われる。ここで、再生中の音楽コンテンツのテンポを（Ｘ）とすると変化量（Ｄ）は、例えば下記の式（１）によって算出される。
変化量（Ｄ）＝（（Ｘ）−（Ａ））／次の小節の区切りまでの時間  ・・（１）
ここで、分母の次の小節の区切りまでの時間が１０ｍｓの場合は、式（１）における変化量Ｄは（（Ｘ）−（Ａ））を１０で除算した値となる。変化量が算出されると処理がステップＳ５に進む。なお、式（１）の分母の値は固定値としても良い。
【００５２】
ステップＳ５においては、再生中の音楽コンテンツのテンポを調整する処理がなされる。すなわち、再生中の音楽コンテンツのテンポを式（１）によって求められた（Ｄ）の分だけ変化させる。このとき、テンポを変更すると共に、（Ｃ）の値に応じて再生中の音楽コンテンツの音量を調整するようにしても良い。続いて、処理がステップＳ６に進む。
【００５３】
ステップＳ６では、設定されたテンポである（Ａ）と再生中の音楽コンテンツのテンポである（Ｘ）とが一致したか否かが判別される。一致してない場合は処理がステップＳ７に進み、設定された待ち時間が経過した後、ステップＳ４およびステップＳ５の処理を繰り返す。例えば、ステップＳ４において説明した式（１）において、分母の数が１０とされた場合はステップＳ４およびステップＳ５の処理が１０回繰り返されることによって徐々に（Ａ）と（Ｘ）とが近づき、最終的に（Ａ）と（Ｘ）とが一致する。ステップＳ６において、（Ａ）と（Ｘ）とが一致した場合は処理がステップＳ８に進む。
【００５４】
ステップＳ８では、再生中の音楽コンテンツの小節の切り替え点であるか否かが判別される。切り替え点でない場合は、再びステップＳ８の処理が繰り返されて、切り替え点であるか否かが判別される。ステップＳ８において、小節の切り替え点である場合は処理がステップＳ９に進む。
【００５５】
ステップＳ９では、ステップＳ２において制御部３が取得した音楽コンテンツを再生中の音楽コンテンツと切り換えて再生する処理が行われる。制御部３が取得した音楽コンテンツと再生中の音楽コンテンツとがクロスフェードによって切り換えられて再生されても良い。
【００５６】
ステップＳ９において、ステップＳ３において算出された差分値（Ｃ）が（Ｃ）≠０の場合は、ステップＳ２において取得された音楽コンテンツのテンポを（Ｃ）の分だけ変更して再生するようにしても良い。（Ｃ）＝０の場合は、テンポの変更がなされずに、ステップＳ２において取得された音楽コンテンツが再生される。
【００５７】
以上説明した再生装置１は、例えば、フィットネスやエアロビクス運動のような音楽コンテンツのテンポに併せて運動を継続する場合における音楽コンテンツの再生に好適である。すなわち、操作ダイヤル８を回転するだけで常に的確なテンポの音楽コンテンツが選曲される。そして、選曲された音楽コンテンツを連続的に再生することができる。
【００５８】
以上、この発明の一実施の形態について具体的に説明したが、この発明は、上述した一実施の形態に限定されるものではなく、この発明の技術的思想に基づく各種の変形が可能である。
【００５９】
上述した一実施の形態においては、操作部がダイヤル形状の操作ダイヤルとして説明したが、操作ダイヤル８に加えて整数倍、整数分の１の倍速用のボタンを設けても良い。例えば、図５に示すように操作ダイヤル８の近接した位置に３倍速ボタン１６、１／３倍速ボタン１７、２倍速ボタン１８、１／２倍速ボタン１９を設けても良い。例えば、２倍速ボタン１８が押されると、再生中の音楽コンテンツの小節の区切りにおいて、再生中の音楽コンテンツのテンポのほぼ２倍のテンポを有する音楽コンテンツが再生されても良い。また、一定の区間、再生中の音楽コンテンツのテンポが２倍となるようにテンポを徐々に速くし、２倍になったタイミングにおいて制御部３が取得したほぼ２倍のテンポを有する音楽コンテンツを切り換えて再生するようにしても良い。
【００６０】
また、この発明は、携帯電話等の携帯型の再生装置に対しても適用できる。図６は、携帯型の再生装置に備えられるリモートコントロール装置２０の概要を示す。リモートコントロール装置２０には指で操作可能な小型のダイヤル２１とＬＣＤ２２が備えられる。ダイヤル２１を奥側に回転させるか若しくは手前側に回転させることでテンポがＬＣＤ２２に表示され、回転を停止することでテンポを設定することができる。また、小型のダイヤルに限らず、図７に示すような少なくとも１軸方向に可動とされるレバー状の操作部２３であっても良い。
【００６１】
図８は、例えばＰＤＡ（Personal Digital Assistants）などの小型の電子機器に備えられる操作部の例である。ＰＤＡ２４には、１軸方向に回転可能なローラ２５が備えられる。このローラ２５を手前若しくは奥に回転し、回転を停止することでテンポを設定することができる。また、図９に示すように、操作部として縦方向のスライダ２６を上下に移動させることでテンポを設定することができるようにしても良い。勿論、横方向のスライダでも良い。
【００６２】
なお、以上例示した操作部は、赤外線等を使用して再生装置１を遠隔操作するリモートコントロール装置に備えられても良い。
【００６３】
また、この発明における再生装置を構成する各手段を、専用のハードウェア回路によって構成できるし、方法若しくはプログラムされたコンピュータによって実現することもできる。また、処理内容を記述したプログラムは、磁気記録装置、光ディスク、光磁気ディスク、半導体メモリ等のコンピュータが読み取り可能な記録媒体に記録しておくことができる。
【図面の簡単な説明】
【００６４】
【図１】この発明の一実施の形態における再生装置の構成を示すブロック図である。
【図２】この発明の一実施の形態における操作ダイヤルを示す略線図である。
【図３】この発明の一実施の形態における再生装置に取り付けられる操作ダイヤルを示す略線図である。
【図４】この発明の一実施の形態における制御部の制御による再生装置の動作の流れの一例を示すフローチャートである。
【図５】操作部として、操作ダイヤルに加えて倍速ボタンが設けられた例を説明するための略線図である。
【図６】携帯型の再生装置のリモートコントロール装置に備えられる操作部の例を説明するための略線図である。
【図７】携帯型の再生装置のリモートコントロール装置に備えられる操作部の他の例を説明するための略線図である。
【図８】小型の電子機器に備えられる操作部の例を説明するための略線図である。
【図９】スライダ形状の操作部の例を示す略線図である。
【符号の説明】
【００６５】
１          再生装置
３          制御部
３ａ        ＣＰＵ
３ｂ        ＲＯＭ
３ｃ        ＲＡＭ
４          ＨＤＤ
５          通信部
７          デコーダおよびアンプ部
８          操作ダイヤル
９          スピーカ
【図１】
2007164932.tif 000003
【図２】
2007164932.tif 000004
【図３】
2007164932.tif 000005
【図４】
2007164932.tif 000006
【図５】
2007164932.tif 000007
【図６】
2007164932.tif 000008
【図７】
2007164932.tif 000009
【図８】
2007164932.tif 000010
【図９】
2007164932.tif 000011